(57)【要約】［課題］複数のセンサ機器から、サーバと通信を行う機器を適切に選択する無線通信ネットワークシステムおよび代表センサ機器の決定方法を提供する。［解決手段］サーバ１２０が、代表センサ機器を決定するためのパラメータのリストを含むグループ代表決定要求を送信する。センサ機器１４０ａ〜ｚは、パラメータリストを受信した場合に、パラメータリストに応じた自センサ機器のパラメータを示す機器パラメータを送信する。センサ機器１４０ａ〜ｚによって送信された機器パラメータに基づいて、代表センサ機器が決定される。代表センサ機器は、自センサ機器が生成した測定結果情報と他のセンサ機器が生成した測定結果情報とをサーバ１２０に送信する。
2015118847.tif 000002
【特許請求の範囲】
【請求項１】
通信ネットワークを介して互いに接続された複数のセンサ機器と、
前記複数のセンサ機器のうち少なくとも一部と無線基地局を介して情報を送受信する情報処理装置と、
前記情報処理装置に前記複数のセンサ機器のそれぞれによる測定結果を示す測定結果情報を前記無線基地局を介して送信する代表センサ機器を、前記センサ機器から選択して決定する代表センサ機器決定手段とを備え、
前記情報処理装置は、前記代表センサ機器決定手段が前記代表センサ機器を決定するためのパラメータのリストを含むパラメータリスト情報を送信し、
前記センサ機器は、前記パラメータリスト情報を受信した場合に、前記パラメータリスト情報に含まれているパラメータのリストに応じて自センサ機器のパラメータを示す機器パラメータ情報を送信し、
前記代表センサ機器決定手段は、前記機器パラメータ情報に基づいて、前記代表センサ機器を決定し、
前記代表センサ機器決定手段によって前記代表センサ機器に決定された前記センサ機器は、自センサ機器が生成した測定結果情報と他のセンサ機器が生成した測定結果情報とを前記情報処理装置に送信する
ことを特徴とする無線通信ネットワークシステム。
【請求項２】
前記センサ機器は、複数のグループのいずれかに属し、
前記情報処理装置は、送信先の前記センサ機器が属するグループを指定して前記パラメータリスト情報を送信する
請求項１に記載の無線通信ネットワークシステム。
【請求項３】
前記代表センサ機器決定手段は、前記情報処理装置に含まれている
請求項１または請求項２に記載の無線通信ネットワークシステム。
【請求項４】
前記情報処理装置は、前記複数のセンサ機器のうち予め決められた一のセンサ機器である仮代表センサ機器に前記無線基地局を介して前記パラメータリスト情報を送信し、
前記仮代表センサ機器は、送信された前記パラメータリスト情報によって示されるパラメータリストを前記通信ネットワークを介して他のセンサ機器に通知し、
前記パラメータリストを通知されたセンサ機器は、通知された前記パラメータリストに応じた自センサ機器の機器パラメータ情報を前記通信ネットワークを介して前記仮代表センサ機器に送信し、
前記仮代表センサ機器は、他のセンサ機器によって送信された前記機器パラメータ情報と自センサ機器の機器パラメータ情報とを前記情報処理装置に送信する
請求項１から請求項３のうちいずれかに記載の無線通信ネットワークシステム。
【請求項５】
前記代表センサ機器決定手段は、前記センサ機器のうち少なくともいずれか１つに含まれている
請求項１または請求項２に記載の無線通信ネットワークシステム。
【請求項６】
前記代表センサ機器決定手段は、前記代表センサ機器に決定したセンサ機器に前記代表センサ機器に決定されたことを示す代表決定通知を送信し、
前記代表決定通知を受信した前記センサ機器は、前記通信ネットワークを介して他のセンサ機器に自センサ機器のＩＤを送信する
請求項１から請求項５のうちいずれかに記載の無線通信ネットワークシステム。
【請求項７】
通信ネットワークを介して互いに接続された複数のセンサ機器のうち少なくとも一部と無線基地局を介して情報を送受信する情報処理装置が、自装置に前記複数のセンサ機器のそれぞれによる測定結果を示す測定結果情報を前記無線基地局を介して送信する代表センサ機器を、前記センサ機器から選択して決定するためのパラメータのリストを含むパラメータリスト情報を送信し、
前記センサ機器が、前記パラメータリスト情報を受信した場合に、前記パラメータリスト情報に含まれているパラメータのリストに応じて自センサ機器のパラメータを示す機器パラメータ情報を送信し、
前記代表センサ機器を決定する代表センサ機器決定手段が、前記機器パラメータ情報に基づいて、前記代表センサ機器を決定し、
前記代表センサ機器決定手段によって前記代表センサ機器に決定された前記センサ機器が、自センサ機器が生成した測定結果情報と他のセンサ機器が生成した測定結果情報とを前記情報処理装置に送信する
ことを特徴とする無線通信ネットワークシステムにおける代表センサ機器の決定方法。
【発明の詳細な説明】
【技術分野】
【０００１】
本発明は、無線通信ネットワークシステムおよび代表センサ機器の決定方法に関する。
【背景技術】
【０００２】
多数のセンサ機器とそれらセンサ機器を制御するサーバ等とが無線通信ネットワークに接続されることが予想されている。多数のセンサ機器とサーバ等とが無線通信ネットワークに接続された状況において、各センサ機器が無線通信ネットワークを介して個別にサーバ等との間の通信を行うと、無線通信ネットワークの無線リソースを多く使用することになる。多くの無線リソースの使用は、無線通信ネットワークで輻輳等の障害が生じる原因となりうる。【０００３】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）では、複数のＭＴＣ（Ｍａｃｈｉｎｅ−Ｔｙｐｅ  Ｃｏｍｍｕｎｉｃａｔｉｏｎｓ）機器によって構成されたグループ内で各ＭＴＣ機器が互いに通信を行うとともに、当該グループの代表機器が無線通信ネットワークを介してサーバと通信を行う方法が提案されている（例えば、非特許文献１参照）。【０００４】
また、特許文献１には、サーバが、グループを構成する複数の測定機器のうち一の測定機器から代表として測定データを受信し、受信した当該測定データに基づく処理を行うシステムが記載されている。
【先行技術文献】
【特許文献】
【０００５】
【特許文献１】国際公開第２０１２／１６４７３９号
【非特許文献】
【０００６】
【非特許文献１】３ＧＰＰ，ＴＲ２２．８８８  Ｖ１２．０．０，“Ｓｔｕｄｙ  ｏｎ  ｅｎｈａｎｃｅｍｅｎｔｓ  ｆｏｒ  Ｍａｃｈｉｎｅ−Ｔｙｐｅ  Ｃｏｍｕｎｉｃａｔｉｏｎｓ（ＭＴＣ）（Ｒｅｌｅａｓｅ  １２），２０１３
【発明の概要】
【発明が解決しようとする課題】
【０００７】
しかし、非特許文献１に記載された方法、および特許文献１に記載されたシステムにおいて、サーバと通信を行う代表の機器に問題がある場合には、当該機器を含むグループを構成する各機器とサーバとの間の通信に問題が生じる。そうすると、各機器による測定結果の送受信に問題が生じるおそれがある。【０００８】
そこで、本発明は、複数のセンサ機器から、サーバと通信を行うセンサ機器を適切に選択する無線通信ネットワークシステムおよび代表センサ機器の決定方法を提供することを目的とする。
【課題を解決するための手段】
【０００９】
本発明による無線通信ネットワークシステムは、通信ネットワークを介して互いに接続された複数のセンサ機器と、複数のセンサ機器のうち少なくとも一部と無線基地局を介して情報を送受信する情報処理装置と、情報処理装置に複数のセンサ機器のそれぞれによる測定結果を示す測定結果情報を無線基地局を介して送信する代表センサ機器を、センサ機器から選択して決定する代表センサ機器決定手段とを備え、情報処理装置は、代表センサ機器決定手段が代表センサ機器を決定するためのパラメータのリストを含むパラメータリスト情報を送信し、センサ機器は、パラメータリスト情報を受信した場合に、パラメータリスト情報に含まれているパラメータのリストに応じて自センサ機器のパラメータを示す機器パラメータ情報を送信し、代表センサ機器決定手段は、機器パラメータ情報に基づいて、代表センサ機器を決定し、代表センサ機器決定手段によって代表センサ機器に決定されたセンサ機器は、自センサ機器が生成した測定結果情報と他のセンサ機器が生成した測定結果情報とを情報処理装置に送信することを特徴とする。【００１０】
本発明による、無線通信ネットワークシステムにおける代表センサ機器の決定方法は、通信ネットワークを介して互いに接続された複数のセンサ機器のうち少なくとも一部と無線基地局を介して情報を送受信する情報処理装置が、自装置に複数のセンサ機器のそれぞれによる測定結果を示す測定結果情報を無線基地局を介して送信する代表センサ機器を、センサ機器から選択して決定するためのパラメータのリストを含むパラメータリスト情報を送信し、センサ機器が、パラメータリスト情報を受信した場合に、パラメータリスト情報に含まれているパラメータのリストに応じて自センサ機器のパラメータを示す機器パラメータ情報を送信し、代表センサ機器を決定する代表センサ機器決定手段が、機器パラメータ情報に基づいて、代表センサ機器を決定し、代表センサ機器決定手段によって代表センサ機器に決定されたセンサ機器が、自センサ機器が生成した測定結果情報と他のセンサ機器が生成した測定結果情報とを情報処理装置に送信することを特徴とする。
【発明の効果】
【００１１】
本発明によれば、無線通信ネットワークシステムにおける複数のセンサ機器から、サーバと通信を行うセンサ機器を適切に選択することができる。
【図面の簡単な説明】
【００１２】
【図１】本発明の第１の実施形態の無線通信ネットワークシステムの構成例を示すブロック図である。
【図２】本発明による無線通信ネットワークシステムの第１の実施形態における動作を示すシーケンス図である。
【図３】パラメータリストの例を示す説明図である。
【図４】本発明による無線通信ネットワークシステムの第２の実施形態における動作を示すシーケンス図である。
【図５】本発明による無線通信ネットワークシステムの第３の実施形態における動作を示すシーケンス図である。
【図６】本発明の概要を示すブロック図である。
【発明を実施するための形態】
【００１３】
実施形態１．
本発明の第１の実施形態の無線通信ネットワークシステムについて、図面を参照して説明する。図１は、本発明の第１の実施形態の無線通信ネットワークシステムの構成例を示すブロック図である。
【００１４】
図１に示すように、本発明の第１の実施形態の無線通信ネットワークシステムは、サーバ２０と、測定処理の結果を示す測定結果情報を生成する複数のセンサ機器４０ａ〜ｚとを含む。
【００１５】
センサ機器４０ａ〜ｚは、それぞれ有線または無線によるＬＡＮ（Ｌｏｃａｌ  Ａｒｅａ  Ｎｅｔｗｏｒｋ）４５に接続され、互いに認識して通信を行うことが可能である。以下、センサ機器４０ａ〜ｚは、ＬＡＮ４５に接続されているとして説明するが、センサ機器４０ａ〜ｚは、それぞれアドホックネットワークに接続され、当該アドホックネットワークを介して互いに通信を行うことが可能であってもよい。
【００１６】
サーバ２０と無線基地局３０とは、有線通信または無線通信で互いに情報を送受信することが可能である。そして、複数のセンサ機器４０ａ〜ｚのうち少なくとも一部は無線基地局３０のセル３１内に配置され、ＬＡＮ４５およびＬＡＮ４５に接続された無線基地局３０を介してサーバ２０と通信を行うことが可能である。
【００１７】
センサ機器４０ａ〜ｚは、それぞれ搭載されたＣＰＵ（Ｃｅｎｔｒａｌ  Ｐｒｏｃｅｓｓｉｎｇ  Ｕｎｉｔ）４１ａ〜４１ｚによって所定の測定処理を行い、当該測定処理の結果を示す測定結果情報を生成する。そして、センサ機器４０ａ〜ｚは、生成した測定結果情報をＬＡＮ４５を介して送信する。
【００１８】
なお、図１に示すように、無線基地局３０のセル３１内には、ＣＰＵ４３ａ〜ｚがそれぞれ搭載されたセンサ機器４２ａ〜ｚも配置されている。センサ機器４０ａ〜ｚは、センサ機器４２ａ〜ｚと識別可能なグループＩＤが予め付与されたグループを形成している。
【００１９】
サーバ２０には、ＣＰＵ２１が搭載されている。そして、サーバ２０（特に、ＣＰＵ２１）は、センサ機器４０ａ〜ｚのうちＬＡＮ４５および無線基地局３０を介して通信を行うセンサ機器を決定する。以下、センサ機器４０ａ〜ｚのうちＬＡＮ４５および無線基地局３０を介してサーバ２０と通信を行うセンサ機器を代表センサ機器という。
【００２０】
サーバ２０は、ＬＡＮ４５および無線基地局３０を介して、代表センサ機器から各センサ機器４０ａ〜ｚによって生成されて送信された測定結果情報を受信する。
【００２１】
次に、本発明による無線通信ネットワークシステムの第１の実施形態における動作について、図面を参照して説明する。図２は、本発明による無線通信ネットワークシステムの第１の実施形態における動作を示すシーケンス図である。図２では、センサ機器グループの代表としてセンサ機器４０ａ，ｂのみを図示している。まず、サーバ２０がセンサ機器４０ａ〜ｚから代表センサ機器を選択して決定する方法について説明する。続いて、代表センサ機器が決定されたことに応じて、各センサ機器４０ａ〜ｚが測定結果情報をサーバ２０に送信する方法について説明する。なお、ここでは、センサ機器４０ａが代表センサ機器に決定されることを例に説明する。
【００２２】
図２に示すように、サーバ２０は、無線基地局３０に、代表センサ機器の決定を要求するグループ代表決定要求メッセージを送信する（ステップＳ１０１）。本例では、グループ代表決定要求メッセージは、センサ機器４０ａ〜ｚによって構成されるグループを示すグループＩＤと、パラメータリストとを含む。
【００２３】
パラメータリストは、詳細には後述するが、サーバ２０がセンサ機器４０ａ〜ｚから代表センサ機器を決定するために用いられるパラメータのリストである。パラメータは、具体的には、例えば、各機器の無線送信電力や、バッテリの蓄電残量、ＣＰＵの性能等である。なお、パラメータリストには、パラメータごとに閾値が示されていてもよい。
【００２４】
無線基地局３０は、グループ代表決定要求メッセージを受信すると、当該メッセージに含まれるグループＩＤとパラメータリストとを含む情報である報知情報を同報送信する（ステップＳ１０２）。セル３１内に配置されているセンサ機器のうち、無線基地局３０と無線通信可能なセンサ機器は、報知情報を受信する。
【００２５】
無線基地局３０によって送信された報知情報を受信したセンサ機器は、当該報知情報に基づいて、グループ代表候補通知メッセージを無線基地局３０を介してサーバ２０に送信する（ステップＳ１０３）。なお、ステップＳ１０３の処理を実行するセンサ機器は、報知情報を受信したセンサ機器のうち、同報送信された報知情報に含まれているグループＩＤに合致するグループＩＤが付与されているセンサ機器である。また、報知情報に含まれているグループＩＤに合致するグループＩＤが付与されているセンサ機器とは、センサ機器４０ａ〜ｚのうち無線基地局３０と無線通信可能な少なくとも一部のセンサ機器４０ａ〜４０ｚである。ステップＳ１０３で送信されるグループ代表候補通知メッセージは、同報送信された報知情報に含まれるパラメータリストに応じた機器パラメータを含んでいる。
【００２６】
パラメータリストに応じた機器パラメータとは、センサ機器４０ａ〜４０ｚの状態や性能等をパラメータリストに含まれているパラメータで示した情報であるが、詳しくは後述する。
【００２７】
なお、サーバ２０は、ステップＳ１０１の処理でグループ代表決定要求メッセージを送信してから予め決められた時間が経過してもグループ代表候補通知メッセージを受信しなかった場合に、ステップＳ１０１の処理に戻ってもよい。そして、送信済みのグループ代表決定要求メッセージにおけるパラメータリストとは異なるパラメータリストを含むグループ代表決定要求メッセージを送信するように構成されていてもよい。
【００２８】
サーバ２０は、報知情報の同報送信開始から所定の時間が経過するまでに、少なくとも一部のセンサ機器４０ａ〜ｚによって送信されたグループ代表候補通知メッセージを受信すると、ＣＰＵ２１が、グループ代表候補通知メッセージに含まれている機器パラメータによって示される各センサ機器４０ａ〜ｚの状態や性能等に基づいて代表センサ機器を決定する（ステップＳ１０４）。
【００２９】
ＣＰＵ２１は、機器パラメータが最も良好なセンサ機器を代表センサ機器に決定するのであるが、その決定方法について詳しくは後述する。なお、ここでは、センサ機器４０ａが代表センサ機器に決定されたとする。
【００３０】
サーバ２０は、無線基地局３０に、センサ機器４０ａが代表センサ機器に決定されたことを示すグループ代表決定通知メッセージを送信する（ステップＳ１０５）。無線基地局３０は、グループ代表決定通知メッセージを受信すると、報知情報の同報送信を停止する。サーバ２０は無線基地局３０にグループ代表決定通知メッセージを送信しなくてもよい。そして、無線基地局３０は、報知情報の同報送信開始から所定の時間が経過したときに報知情報の同報送信を停止するように構成されていてもよい。そのような構成によれば、サーバ２０の通信量の増大を良好に防止することができる。
【００３１】
また、サーバ２０は、代表センサ機器であるセンサ機器４０ａに、グループ代表決定通知メッセージを無線基地局３０およびＬＡＮ４５を介して送信する（ステップＳ１０６）。
【００３２】
代表センサ機器であるセンサ機器４０ａは、グループ代表決定通知メッセージを受信したことに基づいて、自グループＩＤと同じグループＩＤが設定された他のセンサ機器４０ｂ〜ｚに、代表センサ機器に決定されたことを通知する（ステップＳ１０７）。
【００３３】
各センサ機器４０ｂ〜ｚは、ＣＰＵ４１ｂ〜ｚを活用して所定の対象を測定した結果を示す測定結果情報を生成し、ＬＡＮ４５を介して代表センサ機器であるセンサ機器４０ａに測定結果情報を送信する（ステップＳ１０８）。代表センサ機器であるセンサ機器４０ａは、ＣＰＵ４１ａを活用して所定の対象を測定した結果を示す測定結果情報を生成する。そして、代表センサ機器であるセンサ機器４０ａは、生成した測定結果情報とＬＡＮ４５を介して各センサ機器４０ｂ〜ｚから受信した測定結果情報とをＬＡＮ４５および無線基地局３０を介してサーバ２０に送信する（ステップＳ１０９）。
【００３４】
ここで、前述したパラメータリストについて説明する。図３は、パラメータリストの例を示す説明図である。図３に示す例では、パラメータリストには、サーバ２０がセンサ機器４０ａ〜ｚから代表センサ機器を決定するために用いるパラメータとして、１．ＣＰＵ性能、および２．バッテリの蓄電残量が含まれ、ＣＰＵ性能の優先順位がバッテリの蓄電残量よりも高いことが示されている。また、図３に示す例では、バッテリの蓄電残量の閾値が７０％であることが示されている。
【００３５】
パラメータリストは、測定処理を行うセンサ機器のグループに応じて、例えば、無線通信ネットワークシステムの管理者によって作成されてもよいし、無線基地局３０によって作成されてもよいし、サーバ２０によって作成されてもよい。
【００３６】
サーバ２０がパラメータリストを作成する第１の方法および第２の方法について説明する。第１の方法では、例えば、代表センサ機器を決定するグループを構成するセンサ機器が小型の固定センサであることがわかっている場合に、サーバ２０は、小型の固定センサグループタイプのパラメータリストを作成する。ここで、小型の固定センサグループタイプのパラメータリストには、ＣＰＵ性能と無線通信品質等とが優先順位づけられて予め含まれている。ＣＰＵ性能のパラメータは、例えば、ＦＬＯＰＳ（Ｆｌｏａｔｉｎｇ−ｐｏｉｎｔ  Ｏｐｅｒａｔｉｏｎｓ  Ｐｅｒ  Ｓｅｃｏｎｄ）等である。無線通信品質のパラメータは、例えば、ＲＳＲＱ（Ｒｅｆｅｒｅｎｃｅ  Ｓｉｇｎａｌ  Ｒｅｃｅｉｖｅｄ  Ｑｕａｌｉｔｙ）等である。
【００３７】
また、例えば、代表センサ機器を決定するグループを構成するセンサ機器がバッテリを内蔵した移動センサであることがわかっている場合には、サーバ２０は、バッテリを内蔵した移動センサグループタイプのパラメータリストを作成する。バッテリを内蔵した移動センサグループタイプのパラメータリストには、バッテリの蓄電残量とＣＰＵ性能等とが優先順位づけられて予め含まれている。
【００３８】
パラメータリストを作成する第２の方法では、例えば、サーバ２０が、代表センサ機器を決定すべきグループのセンサ機器に、機器の情報（機器の現在位置を示す位置情報や、バッテリの蓄電残量を示す情報、無線通信品質を示す情報等）の送信を要求し、要求に応じて送信された機器の情報を収集する。そして、サーバ２０は、所定の期間内に受信した機器の情報に基づいて、当該グループのセンサ機器が、小型の固定センサであるのか、またはバッテリを内蔵した移動センサであるのかを判定して、判定結果に応じたパラメータリストを作成する。
【００３９】
具体的には、例えば、サーバ２０は、まず、所定の期間内に受信した機器の情報に含まれる位置情報に基づいて各センサ機器が移動したか否かを判断する。また、サーバ２０は、当該機器の情報に含まれるバッテリの蓄電残量を示す情報に基づいて、予め決められた量よりも多く各センサ機器におけるバッテリの蓄電残量が減少したか否かを判断する。
【００４０】
そして、サーバ２０は、当該グループにおいて、移動したと判断され、かつ、バッテリの蓄電残量の減少量が予め決められた量よりも多かったと判断されたセンサ機器の数が一定数以上である場合には、当該グループがバッテリを内蔵した移動センサのグループであると判定する。サーバ２０は、判定結果に従って、バッテリを内蔵した移動センサグループタイプのパラメータリストを作成する。
【００４１】
また、サーバ２０は、移動したと判断され、かつ、バッテリの蓄電残量の減少量が予め決められた量よりも多かったと判断されたセンサ機器４０の数が一定数未満である場合には、当該グループが小型の固定センサのグループであると判定する。そして、サーバ２０は、判定結果に従って、小型の固定センサグループタイプのパラメータリストを作成する。
【００４２】
次に、前述したパラメータリストに応じた機器パラメータについて説明する。パラメータリストに応じた機器パラメータは、パラメータリストにバッテリの蓄電残量が含まれている場合には、例えば、バッテリの蓄電残量を示す情報（例えば、５０％や８０％等）を含み、パラメータリストにＣＰＵ性能が含まれている場合には、例えば、ＦＬＯＰＳの値を示す情報を含む。
【００４３】
なお、センサ機器４０ａ〜ｚは、機器パラメータがパラメータリストに示された閾値を超えない等の条件を満たさないと判断した場合には、ステップＳ１０３の処理で、グループ代表候補通知メッセージを送信しないように構成されていることが好ましい。具体的には、例えば、パラメータリストに示されているバッテリの蓄電残量の閾値が７０％であり、センサ機器４０ａのバッテリの蓄電残量が６０％である場合に、センサ機器４０ａは、ステップＳ１０３の処理で、グループ代表候補通知メッセージを送信しないことが好ましい。そのような構成によれば、通信量の増大を良好に防止することができる。
【００４４】
続いて、前述した代表センサ機器の決定について具体的に説明する。パラメータリストに、ＣＰＵの性能とバッテリの蓄電残量とが含まれ、かつ、バッテリの蓄電残量よりもＣＰＵの性能の優先順位の優先順位の方が高いことが示されている場合、サーバ２０のＣＰＵ２１は、ＣＰＵの性能が最も高いセンサ機器（例えば、センサ機器４０ａ）を代表センサ機器に決定する。
【００４５】
また、優先順位が高いＣＰＵの性能が最も高いセンサ機器が複数あった場合には、サーバ２０のＣＰＵ２１は、それらのうち次の優先順位のパラメータであるバッテリの蓄電残量が最も多いセンサ機器を代表センサ機器に決定する。具体的には、例えば、センサ機器４０ａ〜ｚにおいてセンサ機器４０ａ，ｂのＣＰＵの性能が最も高く、かつ、同じであった場合、バッテリの蓄電残量が最も多い、例えば、センサ機器４０ａを代表センサ機器に決定する。
【００４６】
なお、優先順位が最も高いことが示されているパラメータを、最も良好な一方のセンサ機器と２番目に良好な他方のセンサ機器とで比較した差が所定の値（割合等であってもよい）以内であった場合に、それらセンサ機器において、優先順位が最も高いことが示されているパラメータは同程度であるとする。そして、次に優先度が高いパラメータがより良好なセンサ機器が代表センサ機器に決定されてもよい。
【００４７】
本実施形態によれば、ＬＡＮ４５を介して互いに通信を行うセンサ機器４０ａ〜ｚによって構成されるグループから、当該センサ機器４０ａ〜ｚの用途や種類に応じて、サーバ２０と通信を行う代表センサ機器を自動的に適切に決定することができる。したがって、代表センサ機器におけるバッテリの蓄電残量やＣＰＵ処理能力の不足等による測定結果の送受信の問題の発生を未然に防ぐことができる。
【００４８】
実施形態２．
次に、本発明の第２の実施形態について説明する。前述した第１の実施形態では、各センサ機器４０ａ〜ｚが無線基地局３０を介してサーバ２０にグループ代表候補通知メッセージをそれぞれ送信していた。それに対して、第２の実施形態では、一のセンサ機器４０ｂが仮代表センサ機器として無線基地局３０を介してサーバ２０にグループ代表候補通知メッセージを送信する。
【００４９】
本発明の第２の実施形態における構成は、図１に示す第１の実施形態における構成と同様なため、対応する各要素には第１の実施形態における符号と同様な符号を付し、説明を省略する。
【００５０】
本発明による無線通信ネットワークシステムの第２の実施形態における動作について、図面を参照して説明する。図４は、本発明による無線通信ネットワークシステムの第２の実施形態における動作を示すシーケンス図である。図４では、センサ機器グループの代表としてセンサ機器４０ａ，ｂのみを図示している。
【００５１】
図４に示すように、サーバ２０は、無線基地局３０を介して仮代表センサ機器であるセンサ機器４０ｂにグループ代表決定要求メッセージを送信する（ステップＳ２０１）。
【００５２】
なお、仮代表センサ機器は、無線通信ネットワークシステムの管理者によって予め決定されていてもよいし、グループに属するセンサ機器４０ａ〜ｚのうち無線基地局３０を介してサーバ２０と最初に通信を行ったセンサ機器が仮代表センサ機器に決定されてもよい。本例では、センサ機器４０ｂが仮代表センサ機器に決定されているとする。
【００５３】
グループ代表決定要求メッセージを受信した仮代表センサ機器であるセンサ機器４０ｂは、当該グループ代表決定要求メッセージに含まれているグループＩＤに合致するグループＩＤのセンサ機器に、当該グループ代表決定要求メッセージに含まれているパラメータリストを示す情報をＬＡＮ４５を介して送信する（ステップＳ２０２）。グループ代表決定要求メッセージに含まれているグループＩＤに合致するグループＩＤのセンサ機器とは、センサ機器４０ａ〜ｚ（センサ機器４０ｂを除く）である。
【００５４】
センサ機器４０ａ〜ｚのうち無線基地局３０と無線通信可能な少なくとも一部のセンサ機器４０ａ〜４０ｚは、受信したパラメータリストを示す情報に基づいて、パラメータリストに応じた機器パラメータを示す情報をＬＡＮ４５を介して仮代表センサ機器であるセンサ機器４０ｂに送信する（ステップＳ２０３）。
【００５５】
なお、本実施形態においても第１の実施形態と同様に、センサ機器４０ａ〜ｚは、機器パラメータがパラメータリストに示された閾値を超えない等の条件を満たさないと判断した場合には、機器パラメータを示す情報を送信しないように構成されていることが好ましい。
【００５６】
各センサ機器４０ａ〜ｚ（センサ機器４０ｂを除く）から機器パラメータを受信した仮代表センサ機器であるセンサ機器４０ｂは、グループ代表候補通知メッセージをＬＡＮ４５および無線基地局３０を介してサーバ２０に送信する（ステップＳ２０４）。なお、ステップＳ２０４の処理で送信されるグループ代表候補通知メッセージは、グループＩＤと受信した機器パラメータと自センサ機器４０ｂの機器パラメータとを含む。
【００５７】
サーバ２０のＣＰＵ２１は、センサ機器４０ｂによって送信されたグループ代表候補通知メッセージを受信する。すると、ＣＰＵ２１は、受信したグループ代表候補通知メッセージに含まれている機器パラメータによって示される各センサ機器４０ａ〜ｚの状態や性能等に基づいて、代表センサ機器を決定する（ステップＳ２０５）。本例では、センサ機器４０ａが代表センサ機器に決定されたとする。なお、ステップＳ２０５における処理は、第１の実施形態におけるステップＳ１０４における処理と同様な処理である。
【００５８】
サーバ２０は、代表センサ機器に決定されたセンサ機器４０ａに、グループ代表決定通知メッセージを無線基地局３０を介して送信する（ステップＳ２０６）。
【００５９】
代表センサ機器であるセンサ機器４０ａは、グループ代表決定通知メッセージを受信したことに基づいて、自グループＩＤと同じグループＩＤが設定された他のセンサ機器４０ｂ〜ｚに、代表センサ機器に決定されたことを通知する（ステップＳ２０７）。
【００６０】
各センサ機器４０ｂ〜ｚは、ＣＰＵ４１ｂ〜ｚを活用して所定の対象を測定した結果を示す測定結果情報を生成し、ＬＡＮ４５を介して代表センサ機器であるセンサ機器４０ａに測定結果情報を送信する（ステップＳ２０８）。代表センサ機器であるセンサ機器４０ａは、ＣＰＵ４１ａを活用して所定の対象を測定した結果を示す測定結果情報を生成する。そして、代表センサ機器であるセンサ機器４０ａは、生成した測定結果情報とＬＡＮ４５を介して各センサ機器４０ｂ〜ｚから受信した測定結果情報とをＬＡＮ４５および無線基地局３０を介してサーバ２０に送信する（ステップＳ２０９）。
【００６１】
本実施形態によれば、仮代表センサ機器のみがグループ代表候補通知メッセージを無線基地局３０を介してサーバ２０に送信する。したがって、第１の実施形態における効果に加えて、センサ機器４０ａ〜ｚがそれぞれグループ代表候補通知メッセージを無線基地局３０を介してサーバ２０に送信する前述した第１の実施形態における動作よりも無線基地局３０を介する通信の通信量を減少させて、代表センサ機器を適切に決定するという効果を奏することができる。
【００６２】
実施形態３．
次に、本発明の第３の実施形態について説明する。前述した第１の実施形態および第２の実施形態では、サーバ２０のＣＰＵ２１が代表センサ機器を決定していたが、本実施形態では、仮代表センサ機器のＣＰＵが代表センサ機器を決定する。
【００６３】
本発明の第３の実施形態における構成は、第１の実施形態における構成と同様なため、対応する各要素には第１の実施形態の図１に示す符号と同様な符号を付し、説明を省略する。
【００６４】
本発明による無線通信ネットワークシステムの第３の実施形態における動作について、図面を参照して説明する。図５は、本発明による無線通信ネットワークシステムの第３の実施形態における動作を示すシーケンス図である。図５では、センサ機器グループの代表としてセンサ機器４０ａ，ｂのみを図示している。
【００６５】
図５に示す本実施形態のステップＳ３０１〜Ｓ３０３における動作は、図４に示す第２の実施形態のステップＳ２０１〜Ｓ２０３における動作とそれぞれ同様なため説明を省略する。なお、本実施形態においても、第２の実施形態における説明と同様に、センサ機器４０ｂが仮代表センサ機器であるとして説明する。
【００６６】
仮代表センサ機器であるセンサ機器４０ｂは、各センサ機器４０ａ〜ｚ（センサ機器４０ｂを除く）から機器パラメータを受信する。すると、センサ機器４０ｂのＣＰＵ４１ｂは、受信した機器パラメータと自センサ機器４０ｂの機器パラメータとによって示される各センサ機器４０ａ〜ｚの状態や性能等に基づいて、代表センサ機器を決定する（ステップＳ３０４）。本例では、センサ機器４０ｂのＣＰＵ４１ｂは、センサ機器４０ａを代表センサ機器に決定したとする。なお、ステップＳ３０４においてセンサ機器４０ｂのＣＰＵ４１ｂが行う処理は、第１の実施形態における、サーバ２０のＣＰＵ２１が行うステップＳ１０４の処理と同様な処理である。
【００６７】
仮代表センサ機器であるセンサ機器４０ｂは、代表センサ機器に決定されたセンサ機器４０ａを含む各センサ機器４０ａ〜ｚに、代表センサ機器であるセンサ機器４０ａと他のセンサ機器４０ｂ〜ｚとを識別するセンサ機器４０ａのＩＤを送信する（ステップＳ３０５）。
【００６８】
また、仮代表センサ機器であるセンサ機器４０ｂは、グループ代表決定通知メッセージをＬＡＮ４５および無線基地局３０を介してサーバ２０に送信する（ステップＳ３０６）。ステップＳ３０６で送信されるグループ代表決定通知メッセージは、グループＩＤ、代表センサ機器であるセンサ機器４０ａと他のセンサ機器４０ｂ〜ｚとを識別するセンサ機器４０ａのＩＤ、および代表センサ機器であるセンサ機器４０ａの機器パラメータを含む。
【００６９】
なお、送信される機器パラメータは、サーバ２０によって送信されたグループ代表決定要求メッセージに含まれるパラメータリストに対応する機器パラメータである。
【００７０】
各センサ機器４０ｂ〜ｚは、ＣＰＵ４１ｂ〜ｚを活用して所定の対象を測定した結果を示す測定結果情報を生成し、ＬＡＮ４５を介して代表センサ機器であるセンサ機器４０ａに測定結果情報を送信する（ステップＳ３０７）。代表センサ機器であるセンサ機器４０ａは、ＣＰＵ４１ａを活用して所定の対象を測定した結果を示す測定結果情報を生成する。そして、代表センサ機器であるセンサ機器４０ａは、生成した測定結果情報とＬＡＮ４５を介して各センサ機器４０ｂ〜ｚから受信した測定結果情報とをＬＡＮ４５および無線基地局３０を介してサーバ２０に送信する（ステップＳ３０８）。
【００７１】
本実施形態によれば、グループ代表候補通知メッセージが送信されることがない。したがって、第１の実施形態における効果に加えて、仮代表センサ機器がグループ代表候補通知メッセージを無線基地局３０を介して送信する前述した第２の実施形態における動作よりも無線基地局３０を介する通信の通信量をさらに減少させて、代表センサ機器を適切に決定することができるという効果を奏することができる。
【００７２】
次に、本発明の概要について説明する。図６は、本発明の概要を示すブロック図である。図６に示すように、本発明による無線通信ネットワークシステム２００は、通信ネットワーク（図１に示すＬＡＮ４５に相当）で互いに接続されたセンサ機器１４０ａ〜ｚ（図１に示すセンサ機器４０ａ〜ｚに相当）と、情報処理装置（図１に示すサーバ２０に相当）１２０と、代表センサ機器決定手段（サーバ２０のＣＰＵ２１またはセンサ機器４１ａ〜ｚのＣＰＵ４１ａ〜ｚのいずれかに相当）１００とを含む。
【００７３】
センサ機器１４０ａ〜ｚは、通信ネットワークを介して互いに接続されている。情報処理装置１２０は、複数のセンサ機器１４０ａ〜ｚのうち少なくとも一部と無線基地局を介して情報を送受信する。
【００７４】
代表センサ機器決定手段１００は、情報処理装置１２０に複数のセンサ機器１４０ａ〜ｚのそれぞれによる測定結果を示す測定結果情報を無線基地局を介して送信する代表センサ機器を、センサ機器１４０ａ〜ｚから選択して決定する。
【００７５】
情報処理装置１２０は、代表センサ機器決定手段１００が代表センサ機器を決定するためのパラメータのリストを含むパラメータリスト情報を送信する。センサ機器１４０ａ〜ｚは、パラメータリスト情報を受信した場合に、パラメータリスト情報に含まれているパラメータのリストに応じて自センサ機器のパラメータを示す機器パラメータ情報を送信する。
【００７６】
代表センサ機器決定手段１００は、送信された機器パラメータ情報に基づいて、代表センサ機器を決定する。そして、代表センサ機器決定手段１００によって代表センサ機器に決定されたセンサ機器１４０ａ〜ｚのいずれかは、自センサ機器が生成した測定結果情報と他のセンサ機器が生成した測定結果情報とを情報処理装置１２０に送信する。
【００７７】
そのような構成によれば、無線通信ネットワークシステムにおける複数のセンサ機器１４０ａ〜ｚから、情報処理装置１２０と通信を行うセンサ機器を適切に選択することができる。したがって、各センサ機器１４０ａ〜ｚと情報処理装置１２０との間の通信における問題の発生を未然に防ぐことができる。そして、各センサ機器１４０ａ〜ｚによる測定結果の送信おける問題の発生を未然に防ぐことができる。
【００７８】
また上記の実施形態では、以下の（１）〜（５）に示すような無線通信ネットワークシステムも開示されている。
【００７９】
（１）センサ機器１４０ａ〜ｚは、複数のグループのいずれかに属し、情報処理装置１２０は、送信先のセンサ機器１４０ａ〜ｚが属するグループを指定してパラメータリスト情報を送信する無線通信ネットワークシステム２００。
【００８０】
そのような構成によれば、グループ毎に、各グループに属するセンサ機器の代表センサ装置を決定することができる。したがって、各センサ機器によって測定結果を送信する処理を弾力的に運用することができる。
【００８１】
（２）代表センサ機器決定手段１００は、情報処理装置１２０に含まれている無線通信ネットワークシステム２００。
【００８２】
そのような構成によれば、一般的に処理能力が高い情報処理装置１２０を用いて代表センサ機器を決定することにより、センサ機器１４０ａ〜ｚによる測定結果の送受信や処理への影響を良好に防止することができる。
【００８３】
（３）情報処理装置１２０は、複数のセンサ機器１４０ａ〜ｚのうち予め決められた一のセンサ機器である仮代表センサ機器に無線基地局を介してパラメータリスト情報を送信し、仮代表センサ機器は、送信されたパラメータリスト情報によって示されるパラメータリストを通信ネットワークを介して他のセンサ機器１４０ａ〜ｚに通知し、パラメータリストを通知されたセンサ機器１４０ａ〜ｚは、通知されたパラメータリストに応じた自センサ機器の機器パラメータ情報を通信ネットワークを介して仮代表センサ機器に送信し、仮代表センサ機器は、他のセンサ機器によって送信された機器パラメータ情報と自センサ機器の機器パラメータ情報とを情報処理装置１２０に送信する無線通信ネットワークシステム２００。
【００８４】
そのような構成によれば、センサ機器１４０ａ〜ｚを代表して仮代表センサ機器が情報処理装置１２０との間の通信を行うので、センサ機器１４０ａ〜ｚと情報処理装置１２０との間の通信の通信量を削減することができる。そして、センサ機器１４０ａ〜ｚと情報処理装置１２０との間の通信リソースの使用量を削減することができる。
【００８５】
（４）代表センサ機器決定手段１００は、センサ機器１４０ａ〜ｚのうち少なくともいずれか１つに含まれている無線通信ネットワークシステム２００。
【００８６】
そのような構成によれば、機器パラメータ情報を無線基地局を介して情報処理装置１２０に送信することなく代表センサ機器を決定することができるので、センサ機器１４０ａ〜ｚと情報処理装置１２０との間の通信の通信量をさらに削減することができる。そして、センサ機器１４０ａ〜ｚと情報処理装置１２０との間の通信リソースの使用量をさらに削減することができる。
【００８７】
（５）代表センサ機器決定手段１００は、代表センサ機器に決定したセンサ機器に代表センサ機器に決定されたことを示す代表決定通知を送信し、代表決定通知を受信したセンサ機器は、通信ネットワークを介して他のセンサ機器に自センサ機器のＩＤを送信する無線通信ネットワークシステム２００。
【００８８】
以上、実施形態を参照して本願発明を説明したが、本願発明は上記実施形態に限定されるものではない。本願発明の構成や詳細には、本願発明のスコープ内で当業者が理解し得る様々な変更をすることができる。
この出願は、２０１４年２月４日に出願された日本出願特願２０１４−０１９５３１を基礎とする優先権を主張し、その開示の全てをここに取り込む。
【符号の説明】
【００８９】
２０    サーバ
２１、４１ａ〜ｚ、４３ａ〜ｚ    ＣＰＵ
３０    無線基地局
３１    セル
４０ａ〜ｚ、４２ａ〜ｚ、１４０ａ〜ｚ    センサ機器
４５    ＬＡＮ
１００    代表センサ機器決定手段
１２０    情報処理装置
２００    無線通信ネットワークシステム
【図１】
2015118847.tif 000003
【図２】
2015118847.tif 000004
【図３】
2015118847.tif 000005
【図４】
2015118847.tif 000006
【図５】
2015118847.tif 000007
【図６】
2015118847.tif 000008
【国際調査報告】
2015118847.tif 000009
2015118847.tif 000010